(57)【要約】  流体室と流体連通状態に配置可能な管状先端で終わる筒組立体、前記筒組立体の筒内で手動でかつ軸方向に変位可能であるプランジャー、前記流体室内の圧力の変化を示す一つ以上の電気信号を発生させるためにその遠位端に隣接して前記プランジャー上に装着された圧力センサー、前記発生された信号を処理するために前記プランジャー内に収容された回路構成、及び前記処理された信号を示す出力を表示するための前記プランジャー上に装着されたディスプレイを含む圧力調節注射器。前記出力は、前記管状先端が前記流体室と流体連通状態に位置されているときに前記プランジャーの軸方向変位で変化可能である。流体室は、例えば医療チューブを包囲するカフである。流体は、所望の流体送出操作が実施されるまで、表示された出力に応答して流体送出要素を手動で取り扱うことによって送出される。【選択図】  図１
2014528813.tif 000002
【特許請求の範囲】
【請求項１】
ａ）流体室と流体連通状態に配置可能な管状先端で終わる筒組立体、
ｂ）前記筒組立体の筒内で手動でかつ軸方向に変位可能であるプランジャー、
ｃ）前記流体室内の圧力の変化を示す一つ以上の電気信号を発生させるためにその遠位端に隣接して前記プランジャー上に装着された圧力センサー、
ｄ）前記発生された信号を処理するために前記プランジャー内に収容された回路構成、及び
ｅ）前記処理された信号を示す出力を表示するための前記プランジャー上に装着されたディスプレイ
を含む圧力調節注射器であって、
前記出力は、前記管状先端が前記流体室と流体連通状態に位置されているときに前記プランジャーの軸方向変位で変化可能である、圧力調節注射器。
【請求項２】
プランジャーは、筒の内部表面と封止して係合するための封止手段を取り付けられた遠位に配置されたピストンを含み、前記ピストンは、中心開口を形成されており、それによって圧力センサーは、筒組立体先端と流体連通状態にあり、表示された出力は、圧力読みであることを特徴とする請求項１に記載の注射器。
【請求項３】
センサーは、筒組立体先端と流体連通状態の第一圧力口、及びプランジャーと筒組立体の間の隙間を通してかつプランジャーの空所領域を通して流れる周囲加圧空気と流体連通状態の第二圧力口を持つ差圧センサーであり、処理回路構成は、流体室の圧力と周囲圧力の間の圧力差を計算しかつディスプレイに送るために適合されていることを特徴とする請求項２に記載の注射器。
【請求項４】
周囲圧力は、較正された値であることを特徴とする請求項３に記載の注射器。
【請求項５】
注射器は、瞬間的に押し下げられたときに圧力測定モードを開始するために、電池及び処理装置と電気連通状態の近位に配置された制御ボタンをさらに含むことを特徴とする請求項４に記載の注射器。
【請求項６】
較正された値をディスプレイに出力するための較正モードは、制御ボタンが予め定められた時間より長く押し下げられかつ筒組立体先端が周囲加圧空気と流体連通状態にあるときに開始されることを特徴とする請求項５に記載の注射器。
【請求項７】
較正モードは、圧力差が予め定められた値より大きいときに停止されることを特徴とする請求項６に記載の注射器。
【請求項８】
封止手段と筒組立体先端の間の筒の内部の容積及び従って流体室の圧力を調節するために、所望の圧力読みが表示されるまで、プランジャーは、軸方向に変位可能であることを特徴とする請求項２に記載の注射器。
【請求項９】
所望の圧力差の読みが表示された後に、プランジャーは、筒組立体に解放可能に固定可能であることを特徴とする請求項８に記載の注射器。
【請求項１０】
差圧センサーは、圧電圧力センサーであることを特徴とする請求項３に記載の注射器。
【請求項１１】
流体室は、医療チューブを包囲するカフであり、前記カフは、通常、弁によって周囲加圧空気から隔離されており、注射器が前記弁を包囲する連結チューブに結合されかつ筒組立体先端が前記弁を起動させるときにプランジャーの軸方向変位時に調節可能である圧力を持つことを特徴とする請求項８に記載の注射器。
【請求項１２】
医療チューブは、気管内チューブ、気管切開チューブ、喉頭マスク気道チューブ、カニューレ、及びカテーテルからなる群から選ばれることを特徴とする請求項１１に記載の注射器。
【請求項１３】
差圧センサーは、第一圧力口が第一絶対圧力センサーと関連しかつ周囲空気に露出された第二圧力口が第二絶対圧力センサーと関連するように構成された二つの絶対圧力センサーを含むことを特徴とする請求項３に記載の注射器。
【請求項１４】
回路構成は、分析モードで操作可能であり、その間、発生された信号は周波数または時間領域で分析されることを特徴とする請求項１に記載の注射器。
【請求項１５】
回路構成は、分析モードまたは圧力測定モードの操作時には休止状態に設定され、次いで目覚め事象に応答して活性状態に設定されることを特徴とする請求項１４に記載の注射器。
【請求項１６】
加圧流体を送出するための方法であって、
ａ）管状先端で終わる筒組立体、前記筒組立体の筒内で軸方向に変位可能であるプランジャー、前記プランジャーの遠位端に隣接して前記プランジャー上に装着されている電気信号を発生させるための圧力センサー、前記発生された信号を処理するための前記プランジャー内に収容された回路構成、及び前記処理された信号を示す出力を表示するための前記プランジャー上に装着されたディスプレイを含む注射器を準備し；
ｂ）前記先端を流体室と流体連通状態に配置し；
ｃ）圧力測定モードを開始し、それにより前記流体室内の圧力の変化を示す前記電気信号が発生され、前記信号と関連した出力が前記ディスプレイ上に表示され；そして
ｄ）所望の流体送出操作が実施されるまで、前記表示された出力に応答して流体送出要素を手動で取り扱う工程
を含む方法。
【請求項１７】
表示された出力は、流体室内の圧力レベルであることを特徴とする請求項１６に記載の方法。
【請求項１８】
注射器の遠位先端は、流体室と流体連通状態にある弁と起動関係に置かれることによって流体室と流体連通状態に配置され、プランジャーは、流体室内の圧力を調節するように取り扱われることを特徴とする請求項１７に記載の方法。
【請求項１９】
プランジャーを近位方向に変位させて筒の内部に空気の投入量を入れ、注射器の遠位先端を弁と起動関係に置き、制御ボタンを押し下げることによって圧力調整モードを開始し、プランジャーを遠位方向に変位させて、所望の圧力読みが表示されるまで前記入れられた空気の投入量を流体室中に排出し、そして遠位先端を弁から分離し、もし流体室内の圧力が所望の値未満であるなら、これらの工程を繰り返すことによって、流体室内の圧力が増大されることを特徴とする、請求項１８に記載の方法。
【請求項２０】
流体室内の圧力が、遠位先端を弁と起動関係に置きながらプランジャーを近位方向に変位させることによって減少されることを特徴とする、請求項１９に記載の方法。
【請求項２１】
所望の圧力読みが表示された後で、プランジャーを筒に解放可能に固定し、そして制御ボタンを追加的に押し下げることによって分析モードを開始する工程をさらに含むことを特徴とする、請求項１９に記載の方法。
【請求項２２】
加圧流体は、医療チューブを包囲するカフに送出され、前記医療チューブは、気管内チューブ、気管切開チューブ、喉頭マスク気道チューブ、カニューレ、及びカテーテルからなる群から選ばれることを特徴とする請求項１８に記載の方法。
【請求項２３】
プランジャーは、タイヤを膨張するように取り扱われることを特徴とする請求項１８に記載の方法。
【請求項２４】
流体室は、脊髄管内に位置された硬膜外空間であり、硬膜外空間は、注射器の遠位先端に針を固定し、硬膜外空間中への貫入を示す圧力の減少が表示されるまで前記針を脊椎骨に貫入させることによって同定され、それにより薬物が前記針を介して硬膜外空間中に注入されることを特徴とする請求項１７に記載の方法。
【請求項２５】
加圧流体は、傷付いた血管から出血するのを停止するために収縮期圧未満で出血損傷部位に送出されることを特徴とする請求項１７に記載の方法。
【請求項２６】
表示された出力は、発生された信号のスペクトル分析誘導出力であることを特徴とする請求項１６に記載の方法。
【請求項２７】
流体送出要素は、ベンチレーターであり、スペクトル分析誘導出力は、非同期呼吸を患っている及び補助された換気を必要とする患者の現在の呼吸状態の表示を提供することを特徴とする請求項２６に記載の方法。
【請求項２８】
医療チューブを包囲するカフが破裂したかどうかまたは前記カフを膨張するための導管が閉塞されたかどうかの表示が、分析モードで提供されることを特徴とする請求項２１に記載の方法。
【発明の詳細な説明】
【技術分野】
【０００１】
本発明は、注射器の分野に関する。より詳細には、本発明は、医療チューブを包囲するカフ内の圧力を調節、測定、及び分析するための注射器に関する。
【背景技術】
【０００２】
患者の肺への開放気道を与える気管内チューブ（ＥＴＴ）は、挿管として知られる方法で、患者の気管中に挿入される。ＥＴＴの遠位端近くにあり、かつＥＴＴ壁内に埋め込まれた細い導管と連通状態のバルーン状カフは、気管内で膨張され、ＥＴＴの周りの漏れを防止する。
【０００３】
患者に挿管しかつ通気パラメーターを設定した後、医師は、注射器によってカフを膨張し、不正確な接触聴診器によって漏れをチェックする。カフは、気管組織への損傷を防止するためにカフ内圧力（ＩＣＰ）が４０ｃｍＨ２Ｏを越えないことを確保しながら、一般的に２０〜３０ｃｍＨ２Ｏの圧力に膨張される。長期の挿管中に過度に膨張したカフは、粘膜気管狭窄、潰瘍、瘻孔、及び肉芽腫を含む気管粘膜を損傷しやすい。カフは、気管壁に対して適切に封止し、かつ呼吸器関連肺炎（ＶＡＰ）を導きやすい分泌物の吸引及び胃酸流入を防止するために十分に膨張されることが重要である。
【０００４】
ＩＣＰを測定するための一般的な従来技術は、注射器の筒の内部と流体連通状態に置かれたアナログ指示器による。しかし、ＩＣＰが調節されている間に注射器の筒の内部容積は変動し、従って筒及び連結装置の瞬間容積がＩＣＰを導くために知られていることが必要であるので、圧力の読みは正確ではない。
【０００５】
ＩＣＰを測定するための別の従来技術法は、カフの入口弁にデジタルマノメーターを取り付けることによる。しかし、マノメーターは嵩高く、かつ高価な装置であり、それは常に利用可能でない。最も一般的なマノメーターは、必要な圧力を与えるために一つ以上の圧力センサー及び簡単な回路構成を使用する小さな電池で電力を供給される装置である。しかし、マノメーターは、使用時に、追加の導管容積のためにカフ内の圧力を低下する導管の連結を必要とし、従って読みの精度を低下する。
【０００６】
予め設定された圧力の連続制御を可能にするためにマイクロコントローラー、ポンプ、及び弁によってＩＣＰを測定するために電池または交流電力を供給された圧力調節器もまた、使用される。これらの装置は有意な容積と重量を持つものであるので、それらはＥＴＴチェック弁に直接連結されることができず、追加の導管及び設置手順を必要とする。それらの高いコストがそれらの幅広い使用を制限する。
【０００７】
ＩＣＰを測定または調節するための別の従来装置は、カフ、例えばＰｏｓｅｙ  Ｃｏｍｐａｎｙ，Ａｒｃａｄｉａ，ＣＡにより製造されたＰｏｓｅｙ  Ｃｕｆｆｌａｔｏｒ（商標）中に手動で空気をポンピングするためのインフレーター球を含む。カフは、インフレーター球と流体連通状態にあるので、ＩＣＰは、装置が取り付けられている間に球の追加容積のために、及びＥＴＴからの装置のゆっくりした取り外し時に変動する傾向があり、これは、空気の不測の流れ及び圧力の不正確性を起こす。そのかなりのコストの結果として、かかる従来技術の装置は、再使用され、それは交差汚染、及び挿管された患者の感染に導く。
【０００８】
医療スタッフは、患者が挿管されている間にＩＣＰを日常的に監視するように、例えばシフト毎に一度監視するように指示され、適切な気管封止を示す許容圧力範囲内であり続けることを確実にする。
【０００９】
しかし、特に集中治療室（ＩＣＵ）での医療スタッフの過剰な負担のため、高価なＩＣＰ圧力測定装置の不足のため、または操作するのが困難な装置もしくは不正確な装置のため、この管理基準は、守られないことが多い。
【００１０】
ＵＳ２０１０／０１７９４８８は、内部圧力センサーを持つ注射器を開示し、それは、注射器の筒；筒内のピストン；ばねの第一位置でピストンに結合されたばね、但し、ばねは流体圧力に応答して注射器中空部内で可動である第二部分を持つ；及び流体の圧力を示すためにばねの第二部分の複数の位置に関係付けられた指示器を持つ圧力センサーを含む。ばねはベローズであることができる。流体室は、気管内チューブカフと流体連通状態にあることができる。
【００１１】
ばね力、及びシールと筒の間のスライド摩擦に対抗するために遠位方向の変位時にかなりの力がプランジャーに付与されなければならない。この従来技術の注射器の別の欠点は、それが筒に対して可動である圧力指示器を含むことであり、従って正確な読みを確保するために変動する抵抗力によって絶えず較正されなければならないことである。
【００１２】
他の医療手順で使用するための圧力指示注射器は、ＥＰ０５８９４３９，ＧＢ１５６８２８３，ＩＥ９２２９５５，ＷＯ８２／０３５５３，ＷＯ８２／０３５５５，ＷＯ８７／０１５９８，ＷＯ９２／０７６０９，ＷＯ９３／０１５７３，ＵＳ４０６４８７９，ＵＳ４７１０１７２，ＵＳ４７５９７５０，ＵＳ５１６３９０４，ＵＳ５２５９８３８，ＵＳ５２７０６８５，ＵＳ５２９５９６７，ＵＳ５４４９３４４，ＵＳ５７２２９５５，及びＵＳ２００４／０２５４５３３に開示されている。
【発明の概要】
【発明が解決しようとする課題】
【００１３】
本発明の目的は、ＩＣＰを正確に測定するための注射器を提供することである。
【００１４】
本発明の追加の目的は、医療チューブを包囲するカフを膨張または収縮しながら、ＩＣＰを調節するための、かつＩＣＰの正確な読みを与えるための比較的安価な注射器を提供することである。
【００１５】
本発明の追加の目的は、同時にＩＣＰを調節しかつ圧力調節操作時にカフに添加されたまたはカフから除去されたガスの容積を示すための注射器を提供することである。
【００１６】
本発明の追加の目的は、交差汚染及び患者の感染を防止するように使い捨て可能である十分に安価な圧力調節注射器を提供することである。
【００１７】
本発明の追加の目的は、通常の注射器によって必要とされる手の力で操作可能である圧力調節注射器を提供することである。
【００１８】
本発明の追加の目的は、一度限りで較正可能な圧力調節注射器を提供することである。
【００１９】
本発明のさらに追加の目的は、追加の設置手順を必要とすることなしに医療チューブのチェック弁に連結されることができる圧力調節注射器を提供することである。
【００２０】
本発明の他の目的及び利点は、説明が進むと明らかとなるだろう。
【課題を解決するための手段】
【００２１】
本発明は、流体室と流体連通状態に配置可能な管状先端で終わる筒組立体、前記筒組立体の筒内で手動でかつ軸方向に変位可能であるプランジャー、前記流体室内の圧力の変化を示す一つ以上の電気信号を発生させるためにその遠位端に隣接して前記プランジャー上に装着された圧力センサー、前記発生された信号を処理するために前記プランジャー内に収容された回路構成、及び前記処理された信号を示す出力を表示するための前記プランジャー上に装着されたディスプレイを含む圧力調節注射器であって、前記出力は、前記管状先端が前記流体室と流体連通状態に位置されているときに前記プランジャーの軸方向変位で変化可能である、圧力調節注射器を提供する。
【００２２】
一態様では、プランジャーは、筒の内部表面と封止して係合するための封止手段を取り付けられた遠位に配置されたピストンを含み、前記ピストンは、中心開口を形成されており、それによって圧力センサーは、筒組立体先端と流体連通状態にあり、表示された出力は、圧力読みである。
【００２３】
一態様では、センサーは、筒組立体先端と流体連通状態の第一圧力口、及びプランジャーと筒組立体の間の隙間を通してかつプランジャーの空所領域を通して流れる周囲加圧空気と流体連通状態の第二圧力口を持つ差圧センサーであり、処理回路構成は、流体室の圧力と周囲圧力の間の圧力差を計算しかつディスプレイに送るために適合されている。
【００２４】
一態様では、周囲圧力は、較正された値である。
【００２５】
一態様では、注射器は、瞬間的に押し下げられたときに圧力測定モードを開始するために、電池及び処理装置と電気連通状態の近位に配置された制御ボタンをさらに含む。
【００２６】
一態様では、較正された値をディスプレイに出力するための較正モードは、制御ボタンが予め定められた時間より長く押し下げられかつ筒組立体先端が周囲加圧空気と流体連通状態にあるときに開始される。
【００２７】
一態様では、較正モードは、圧力差が予め定められた値より大きいときに停止される。
【００２８】
一態様では、封止手段と筒組立体先端の間の筒の内部の容積及び流体室の圧力を調節するために、所望の圧力読みが表示されるまで、プランジャーは、軸方向に変位可能である。
【００２９】
一態様では、所望の圧力差の読みが表示された後に、プランジャーは、筒組立体に解放可能に固定可能である。
【００３０】
一態様では、差圧センサーは、圧電圧力センサーである。
【００３１】
一態様では、流体室は、気管内チューブを包囲するカフであり、前記カフは、通常、チェック弁によって周囲加圧空気から隔離されており、注射器が前記チェック弁を包囲するチューブに結合されかつ筒組立体先端が前記チェック弁のピストンを押圧して変位するときにプランジャーの軸方向変位時に調節可能である圧力を持つ。
【００３２】
一態様では、差圧センサーは、第一圧力口が第一絶対圧力センサーと関連しかつ第二圧力口が第二絶対圧力センサーと関連するように構成された二つの絶対圧力センサーを含む。
【００３３】
一態様では、回路構成は、分析モードで操作可能であり、その間、発生された信号は周波数または時間領域で分析される。回路構成は、分析モードまたは圧力測定モードの操作時には休止状態に設定され、次いで目覚め事象に応答して活性状態に設定されることができる。
【００３４】
従来技術では、ＩＣＰは、試行錯誤工程により調節され、それにより圧力は、マノメーターまたはいずれかの他の計器によって監視され、注射器は、多数の試みの後に所望の圧力が達成されるまで多数の操作によって取り扱われる。
【００３５】
対照的に、本発明は、加圧流体を送出するための方法であって、管状先端で終わる筒組立体、前記筒組立体の筒内で軸方向に変位可能であるプランジャー、前記プランジャーの遠位端に隣接して前記プランジャー上に装着されている電気信号を発生させるための圧力センサー、前記発生された信号を処理するための前記プランジャー内に収容された回路構成、及び前記処理された信号を示す出力を表示するための前記プランジャー上に装着されたディスプレイを含む注射器を準備し；前記先端を流体室と流体連通状態に配置し；圧力測定モードを開始し、それにより前記流体室内の圧力の変化を示す前記電気信号が発生され、前記信号と関連した出力が前記ディスプレイ上に表示され；そして所望の流体送出操作が実施されるまで、前記表示された出力に応答して流体送出要素を手動で取り扱う工程を含む方法を指向する。
【００３６】
一態様では、表示された出力は、流体室内の圧力レベルである。
【００３７】
一態様では、注射器の遠位先端は、流体室と流体連通状態にある弁と起動関係に置かれることによって流体室と流体連通状態に配置され、プランジャーは、流体室内の圧力を調節するように取り扱われる。
【００３８】
一態様では、加圧流体は、医療チューブを包囲するカフに送出され、前記医療チューブは、気管内チューブ、気管切開チューブ、喉頭マスク気道チューブ、カニューレ、及びカテーテルからなる群から選ばれる。
【００３９】
一態様では、プランジャーは、タイヤを膨張するように取り扱われる。
【００４０】
一態様では、流体室は、脊髄管内に位置された硬膜外空間であり、かつこの硬膜外空間は、注射器の遠位先端に針を固定し、硬膜外空間中への貫入を示す圧力の減少が表示されるまで前記針を脊椎骨に貫入させることによって同定され、それにより薬物が前記針を介して硬膜外空間中に注入される。
【００４１】
一態様では、加圧流体は、傷付いた血管から出血するのを停止するために収縮期圧未満で出血損傷部位に送出される。
【００４２】
一態様では、表示された出力は、発生された信号のスペクトル分析誘導出力である。
【００４３】
一態様では、流体送出要素は、ベンチレーターであり、スペクトル分析誘導出力は非同期呼吸を患っている及び補助された換気を必要とする患者の現在の呼吸状態の表示を提供する。
【００４４】
一態様では、医療チューブを包囲するカフが破裂したかどうかまたは前記カフを膨張するための導管が閉塞されたかどうかの表示が、分析モードで提供される。
【００４５】
本発明の注射器は、少なくとも次の利点を提供する：
１．それは、ＩＣＰの測定及び調節を同時に行う。
２．それは、直ちに表示可能であるＩＣＰの正確なデジタル読みを提供する。
３．それは、安価である。
４．それは、使用者に優しい。
５．それは、軽量である。
６．それは、操作のモードを変化させるために、及びＩＣＰを調節するために、片手で取り扱われることができる。
７．瞬間ＩＣＰは、長期間、維持されることができる。
８．それは、一人の患者によって使用されるための専用の装置であり、使い捨て可能であり、患者間の交差感染を防ぐ。
【図面の簡単な説明】
【００４６】
【図１】図１は、本発明の一実施態様による注射器の前面断面図であり、最大範囲まで遠位方向に変位されたプランジャーを示す。
【００４７】
【図２】図２は、図１の注射器から除去されたときのプランジャーの前面断面図である。
【００４８】
【図３】図３は、図２のプランジャーの側面断面図である。
【００４９】
【図４】図４は、チェック弁チューブから取り外したときの図１の注射器の前面断面図である。
【００５０】
【図５】図５は、所望の差圧読みを達成するためにプランジャーが遠位方向に変位されたときの図１の注射器の前面断面図である。
【００５１】
【図６】図６は、圧力読みを出力するために回路構成を処理するブロック図である。
【００５２】
【図７】図７は、較正モード時の操作の方法である。
【００５３】
【図８】図８は、図１の注射器と共に使用可能な筒組立体の前面断面図である。
【００５４】
【図９】図９は、ロッカーリングから分離されたときのウイング要素を示す、図８の筒組立体の前面断面図である。
【００５５】
【図１０−１１】図１０−１１はそれぞれ、ロッカーリングの前面断面図及び上面図である。
【００５６】
【図１２Ａ−１２Ｃ】図１２Ａ−１２Ｃは、図９のウイング要素及び図１１のロッカーリングの上面図であり、ウイング要素に係合されているときのロッカーリングのそれぞれ三つの回転位置を示す。
【００５７】
【図１３】図１３は、筒組立体に固定されているプランジャーを示す、図１の注射器の側面断面図である。
【００５８】
【図１４】図１４は、負の差圧読みを達成するためにプランジャーが近位に変位されたときの図１の注射器の前面断面図である。
【００５９】
【図１５】図１５は、本発明の別の実施態様による注射器の部分的に除去された透視図である。
【００６０】
【図１６】図１６は、図１５の注射器の前面図である。
【００６１】
【図１７】図１７は、図１６の面Ａ−Ａに沿って切断された図１５の注射器の断面図である。
【００６２】
【図１８】図１８は、ＥＴＴ弁を包囲するチューブに結合されたときの図１５の注射器の前面図である。
【００６３】
【図１９】図１９は、呼吸システムの概略図であり、この呼吸システムと共に本発明の注射器が操作可能である。
【００６４】
【図２０】図２０は、時間の関数としてのＩＣＰのグラフである。
【００６５】
【図２１】図２１は、本発明の注射器によって発生された信号のパワースペクトル密度のグラフである。
【００６６】
【図２２】図２２は、流体室内の圧力を調節するための方法のフローチャートである。
【発明を実施するための形態】
【００６７】
本発明は、圧力センサー及び対応する回路構成が収容されているプランジャーを含む、小型の電子的に制御された圧力調節注射器である。この注射器は、以下に記載される四つのモードで操作可能である：（１）圧力測定モード、（２）圧力調節モード、（３）較正モード、及び（４）分析モード。この注射器は、その使用者に優しく、正確で、信頼性のある操作性にもかかわらず、使い捨てされることができるように十分に安価である。
【００６８】
以下の説明は、ＥＴＴを包囲するカフの圧力を調節するために適合されている注射器に関する。本発明の圧力調節注射器はまた、気管切開チューブ（ＴＲＴ）、喉頭マスク気道（ＬＭＡ）チューブ、及びカフ付きカニューレまたはカテーテルを含む他のカフ付き医療チューブと共に操作可能であることは理解されるだろう。
【００６９】
図１は、本発明の一実施態様による、一般的に数字１０によって示された注射器の前面断面図を示す。
【００７０】
注射器１０は、筒組立体５と、筒組立体５の筒６の内部内で手動で変位可能であり、かつ筒６に所定の相対位置で固定可能であるプランジャー１５を含む。筒組立体５は、近位開口１を持ち、それは、プランジャー本体の直径より大きな直径を持ち、干渉なしにプランジャー１５の変位を可能にし、圧力測定の目的のためにプランジャー１５と筒６の間の半径方向の隙間２０に沿った周囲空気の通過を可能にする。
【００７１】
圧力測定に応答して電気信号を送る差圧センサー２１（例えば圧電圧力センサー）が、プランジャー１５の遠位端に隣接して装着され、筒６の遠位端９から遠位方向に延びる管状注射器先端８と流体連通状態にあり、前記先端を通して加圧空気が、カフへ排出可能である。電気信号は、回路構成２３によって増幅された後、プランジャー１５内に埋め込まれたケーブル２４を介して処理回路構成に送られ、その結果、圧力読みが、プランジャー１５の近位端３２に装着されているディスプレイ２８上で見ることができるだろう。操作の異なるモードを開始するための制御ボタン３７（例えばプッシュボタン）も、プランジャー１５の近位端３２に装着される。増幅及び処理回路構成がプランジャー１５内に収容されたとしても、このプランジャーは、従来のプランジャーと同じ寸法を持ち、同じ容易さで近位方向及び遠位方向に変位可能である。
【００７２】
注射器１０は、圧力センサー２１がＩＣＰと周囲圧力の両方を感知し、それによりそれらの間の差圧を表示することを可能にするように構成されることが好適である。
【００７３】
図２及び３はそれぞれ、プランジャー１５が筒組立体から除去されたときのプランジャー１５の前面及び側面図を示す。プランジャー１５は、長い本体１６を含み、それは、材料費を減少させるために減少した厚さの領域１４を持って形成されることができる。のこぎり状歯１９が、筒組立体に一時的に固定されるために本体１６から半径方向に突出する部材５１の一つ以上の限られた周囲上を縦方向に延びる領域上にのみ形成されることができる。各周囲領域は、歯担持部材５１と係合されるロッカーリング４（図１０−１１）の構造に依存して、数度から４５度、またはそれより大きい範囲であり、例えば３０度の角度の範囲である。
【００７４】
ケーブル２４は、各半径方向に突出する部材２１と隣接している本体１６の中心部分内に埋め込まれることができる。ケーブル２４から分岐するケーブル部分２４ａ及び２４ｂは、各歯担持部材５１の上に垂直に延びるダクト３３を通して延び、それぞれディスプレイ２８及び接点２９に連結される。逆Ｌ形状をした構造の装着板２７が、本体１６の近位端に付着される。装着板の凹んだ垂直部分にディスプレイ２８が装着されている。ケーブルダクト３３は、装着板２７の頂部及び近位端３２に装着されている薄い環状フランジ３１を通して突出し、前記フランジ３１に対して垂直である。
【００７５】
円筒状制御ボタン３７が、ばね４３によってケーブルダクト３３に付着される。フランジ３１、またはプランジャー１５のいずれかの他の部分が保持されている間に制御ボタン３７が押し下げられると、制御ボタン３７の遠位端に付与された電気伝導部分３４が、ケーブルダクト３３内に装着された接点２９と電気連結され、操作のモードの一つを開始する。接点２９は、近位端３２内に装着されているかまたはプランジャー１５のいずれかの他の部分に配置されている処理回路構成及び電池と電気的連通状態にある。
【００７６】
プランジャー１５は、中空の長いピストン１７を持ち、その外部中空部内に筒の内部表面と封止係合するためのそれぞれ二つの間隔を置いた薄い環状の封止要素１８及び１９が装着されている。本体１６から遠位方向に延びるアバットメント２２が、封止要素１８に隣接してピストン１７の近位部分内にプレス嵌めされる。中空部分２６は、材料の使用を最少にするために、さらに隙間２０（図１）を通しての周囲加圧空気の通過を可能にするために、アバットメント２２内に形成されることができる。
【００７７】
ピストン１７の内部は、圧力センサー２１の形状に対して補完的な形状をしたシートを形成され、センサー２１のＩＣＰ口２５がピストン１７の外部と流体連通状態にあるようにピストン１７の遠位縁３６から近位方向に延びる。圧力センサー２１、増幅回路構成２３、及びケーブル２４は、封止要素１９に対してわずかに近位方向にある領域でピストン１７の内部に取り付けられる回路基板３０に連結される。図示されていないけれども、センサー２１の周囲圧力口が、回路基板３０への連結のためにピン３５を通して延び、アバットメント２２を通して流れる周囲加圧空気を感知する。代替的に、周囲圧力口は、プランジャー本体内に形成された凹所を通して流れる周囲加圧空気を感知することができる。
【００７８】
圧力センサーによって発生された信号を処理するための回路構成は、ＡＳＩＣ技術の使用によるような多くの異なる方式で構成されることができることは理解されるだろう。
【００７９】
図１８は、電子圧力センサーを内部に収容された注射器１１０を示すが、この注射器は、ＥＴＴ弁６５（それは例えばチェック弁またはポペット弁である）を包囲するチューブ６３に結合されている。弁６５は、カフ７４が適切に膨張されているかどうかを決定する手動触知のために使用されるパイロットバルーン６６と流体連通状態にあり、このバルーンから細い導管６９がＥＴＴ７１に延びる。接点７３でＥＴＴ７１の壁内に埋め込まれている導管６９は、ＥＴＴ７１をその遠位領域で包囲するカフ７４まで延び、カフの内部と流体連通状態にある。注射器は、例えば１０ｃｃ，２０ｃｃ，３０ｃｃ，５０ｃｃ，１００ｃｃ、または２００ｃｃ、またはいずれかの他の所望の容積を持つことができる。
【００８０】
注射器先端１０８は、注射器がチューブ６３に、例えばＬｕｅｒロックまたはスリップチューブによって結合されるとき、弁６５の軸上を十分押圧するように、または弁６５の軸といずれかの他の起動関係にあるように構成され、チェック弁の変位を起こす。従って、注射器１１０の筒の内部、すなわちプランジャーと注射器先端１０８の間の加圧空気のための可変容積は、注射器がチューブ６３と結合されるときにカフ７４の内部と流体連通状態にある。従って、プランジャーの変位は遠位方向であれ、近位方向であれ、ＩＣＰを調節するだろう。カフ７４が所望の圧力を達成した後、ＩＣＰは、注射器１１０をチューブ６３から取りはずして弁６５をその正常の閉じられた位置に戻させることによって保持されることができる。チューブ６３は、注射器に連結されたときにＩＣＰに悪影響を及ぼさないように最小容積のものである。
【００８１】
圧力センサーは、筒の内部に面するプランジャーの遠位端内に装着され、従って、そのＩＣＰ口もカフ７４と流体連通状態にある。圧力センサーが、差圧タイプのものであるとき、すなわち周囲圧力とＩＣＰとの間の圧力の差を感知するために適合されているとき、圧力読みは、瞬間筒容積から独立しており、従って、間違えることがありえることがない。
【００８２】
注射器１０は、図１では圧力測定モードで操作可能であるように示されているが、先端８は、ＥＴＴ弁を包囲するチューブに結合され、プランジャー１５は、ＩＣＰに最適に露出されるために遠位方向に変位され、好ましくは最も遠位の位置に設定される。ＩＣＰの例示的圧力読みは、ディスプレイ２８の表示６４によって示される。
【００８３】
圧力調節モード時には、ピストンは、筒内の中間位置に変位される。
【００８４】
もし圧力読みが過剰のＩＣＰを示すなら、プランジャー１５は、カフ内に閉じ込められた空気の幾らかをチェック弁を介して解放するために、圧力読みが所望の値に低下するまで単に近位方向に変位される。
【００８５】
圧力調節モードはまた、ＩＣＰを増加させるために操作されることができる。筒の内部に空気の新しい投入量を入れるために、注射器１０はまず、弁チューブから取りはずされねばならない。プランジャー１５が次に筒組立体から取りはずされると、空気の新しい投入量が次いで筒の内部１２に入れられることができる。注射器１０は弁チューブから取りはずされているので、圧力センサー２１の両方の圧力口は大気圧に露出され、ディスプレイ２８は、図４に示されるように、０の差圧読みを示すはずである。
【００８６】
もし何らかの理由のためにディスプレイ２８が０の差圧読みを示さないなら、較正モードを開始するために制御ボタン３７が押し下げられ、それによりディスプレイはゼロになる。
【００８７】
ディスプレイがゼロになった後、プランジャー１５は、図５に示されるように、所望の差圧６７が達成されて表示されるまで、筒の内部１２の容積を減少するように遠位方向に変位され、それによりＩＣＰを増加させる。所望の圧力が達成された後、臨床医が圧力読みを監視する。もし圧力読みが変化したら、プランジャー１５は、なされるべきＩＣＰの変化に応答して近位方向にまたは遠位方向に変位される。
【００８８】
図６は、圧力読みを出力するための処理回路構成８１のブロック図を示す。処理回路構成８１は、圧力センサー７６、センサー７６によって発生されたデータを処理するための処理装置７７、センサー７６及び処理装置７７に電力を供給するための電池７９、圧力読みディスプレイ２８、及び所望の操作モードを開始するための制御ボタン３７を含む。
【００８９】
制御ボタン３７が、処理回路構成８１を起動して圧力測定モードを開始するために押し下げられるとき、信号Ｃが処理装置７７に送られる。圧力センサー７６は次いで、それぞれがＩＣＰ口の絶対圧力及び周囲圧力口の絶対圧力を示す信号Ａ及びＢを処理装置７７に送る。処理装置７７は、これに応答してＩＣＰ口と周囲圧力口の圧力の間の差を計算し、計算された差圧読みの値をディスプレイ２８に出力する。示された表示は、もし電池７９の電力レベルが予め定められた値以下であるなら点滅することができる。
【００９０】
センサー７６は、ＩＣＰ口が第一絶対圧力センサーと関連しかつ周囲圧力口が第二絶対圧力センサーと関連するように構成された二つの絶対圧力センサーを含む。または代替的に、センサー７６は、単一信号を処理装置７７に送る差圧センサーである。
【００９１】
較正モードは、制御ボタン３７が予め定められた時間（例えば３秒間）押し下げられるときに開始される。制御ボタン３７が予め定められた時間より長い持続閉鎖のために押し下げられた後、信号Ｄが処理装置７７に送られ、それにより信号Ａ及びＢは削除され、ゼロの較正された表示がディスプレイ２８上に示される。
【００９２】
図７は較正モード時の操作方法を示す。制御ボタンが工程８３で押し下げられた後、処理装置は、工程８５で制御ボタン接点が持続的な回路構成閉鎖を実現するかどうかを決定する。もし制御ボタン接点が一時的な閉鎖を実現することが決定されたなら、工程８９で圧力測定モードが開始される。しかし、もし制御ボタン接点が持続的な閉鎖を実現するなら、処理装置は、出力された差圧読みが予め定められた値（例えば２ｍｍＨｇ）より大きいかどうかを工程８７で決定する。もし差圧読みが予め定められた値より大きいなら、圧力読みが実施されていることを示し、較正モードの開始は妨げられ、差圧値が表示される。しかし、もし出力された差圧値が予め定められた値未満であるなら、較正モードが開始され、ディスプレイは工程９１でゼロにされ、それにより較正された周囲圧力を規定する。次の圧力読みがなされるとき、処理装置は、ＩＣＰ口での圧力と較正された周囲圧力との間の差を工程９３で計算し、計算された差圧読みの値を工程９５でディスプレイに出力する。
【００９３】
所望のＩＣＰが達成された後、プランジャーは、ＩＣＰの監視を容易にするために筒組立体に固定される。図８〜１２は、プランジャーを筒組立体に固定するための手段の一実施態様を示す。しかし、他の固定手段も本発明の範囲内にあることは理解されるだろう。
【００９４】
図８は筒組立体５を示す。筒組立体５は、筒６の直径より有意に小さい直径の遠位注射器先端８を備えた中空筒６を含む。ウイング要素３が、筒６の近位端から半径方向外向きに延び、上部ロッカーリング４と係合される。可視目盛マーク２が、筒６上に付与され、カフ中に注入された空気の容積を臨床医に示す。
【００９５】
図９に示されるように、ウイング要素３の内部表面８は、筒６の内部表面１１より小さい直径を持つ。ロッカーリングと係合するための二つの突起７が、ウイング要素３から上向きに突出する。
【００９６】
図１０及び１１に示されたロッカーリング４は、平坦で相互に平行な上面８４及び下面８６を持ち、それらは、真直ぐで相互に平行な前縁３８及び後縁３９によって、及び間隔を置いた凸状側面４１及び４２によって規定される。凸状側面４１及び４２のそれぞれは、前縁３８と後縁３９の間に水平方向に延び、下面８６から下向きに延びる。下面８６に平行なリップ４４が、各側面４１及び４２の底から内向きに延びる。ウイング要素３の二つの端部領域１３（図９）のそれぞれは、下面８６とリップ４４の間の対応する空間４７内に受け入れ可能である。リップ４４の内方縁４５から内向きに間隔を置かれており、かつ二つの突起７（図９）と一列になることができる二つの凹み４６が、下面８６内に形成されている。
【００９７】
中心穴４９が、ロッカーリング４内に形成されている。穴４９は、真直ぐな縁３８及び３９にそれぞれ面する二つの間隔を置いた同心の第一円周縁５３及び５４によって、及び凸状側面４１及び４２にそれぞれ面する二つの間隔を置いた同心の第二円周縁５６及び５７によって規定される。各第二円周縁の半径は、各第一円周縁の半径より小さく、半径方向に配向した縁５９は、第一円周縁の端部から第二円周縁の最も接近した端部まで下向きに延びる。
【００９８】
次に、図１２Ａ−Ｃに関連して、ウイング要素３は、真直ぐで相互に平行な前縁６８及び後縁６９を持って、かつ間隔を置いた凸状側面６１及び６２を持って構成されているロッカーリング４と同様の形状を持つように示されている。ウイング要素３の真直ぐな縁６８と６９の間の間隔は、ロッカーリング４の真直ぐな縁３８と３９の間の間隔と実質的に等しく、一方、ウイング要素３の側面６１と６２の間の間隔は、ロッカーリング４の側面４１と４２の間の間隔より小さい。
【００９９】
ウイング要素３と係合したロッカーリング４を持つために、ロッカーリングはまず、ロッカーリング４の真直ぐな縁がウイング要素３の真直ぐな縁に対して実質的に垂直になるように、図１２Ａに示されたようにウイング要素の上に配置される。ロッカーリング４は次いで、ロッカーリング４のリップ４４の一端がウイング要素３の対応する側面と係合することを確保しながら、図１２Ｂに示されたように回転される。ロッカーリング４が図１２Ｃに示されたように９０度回転された後、ウイング要素３の各突起７が、ロッカーリング４の対応する凹み４６と係合され、ウイング要素３の各端部領域１３が、ロッカーリング４の対応する空間４７内に受け入れられる。
【０１００】
筒組立体構成のおかげで、一つの角度位置のプランジャー１５は、その歯担持部材５１とロッカーリング４の第一円周縁５３及び５４（図１１）との間の干渉をもたらすことなく軸方向に変位可能である。しかし、図１３に示されたように、プランジャー１５のフランジ３１が第二角度位置に回転されるとき、歯担持部材５１は、ロッカーリング４の対応する第二円周縁５６または５７（図１１）に固定されるようになり、プランジャーは、そこから移動されることなく所望のＩＣＰを発生した選択された軸方向位置に保持されることができる。それにもかかわらず、プランジャー１５は、もし望むなら、筒組立体に固定された後にラチェット式に変位されることができる。
【０１０１】
プランジャー１５が回転される間に歯担持部材５１がロッカーリング４に固定されるようになるとき、ロッカーリングの対応する表面に沿って歯のスライド作用からもたらされるプランジャーの軸方向変位は、有意ではなく、筒の内部を測定する際の不一致は、無視してもよい。歯担持部材５１の縦方向に間隔を置かれた歯１９の間の隙間Ｇ（図２）は、プランジャーのかかる有意ではない軸方向変位を確保するために選ばれる。例えば２０ｍｍの内径を持つ注射器に対しては、縦方向隙間は、０．５〜１．５ｍｍの長さであり、わずか０．１６ｍＬの筒の内部の測定において不一致をもたらすにすぎない。
【０１０２】
筒の内部１２がカフと流体連通状態にある間に、プランジャー１５は、近位方向に有意に変位されることができ、例えば、図１４に示されるように最大の範囲まで近位方向に変位されることができ、表示された差圧読み７５は、大気圧以下の圧力の表示（すなわち示されるように三つの表示の負の表示値）であることができる。大気圧以下の圧力を達成する能力は、カフを簡単かつ迅速に収縮させることを可能にする。
【０１０３】
本発明の注射器はまた、身体の内腔から蓄積された液体を吸引するために使用されることができる。負の差圧はまた、身体の抵抗によって発生されることができ、体液を筒の内部１２中に吸引することを可能にする。
【０１０４】
本発明の別の実施態様が、図１５〜１７に示されている。
【０１０５】
図１５に示されるように、注射器１１０は、筒組立体１０５及びプランジャー１１５を含む。増幅及び処理回路構成を含む印刷回路基板（ＰＣＢ）１２４が、プランジャー１１５内に収容され、圧力センサー２１からフランジ１３１まで延びる。ＰＣＢ１２４は、プランジャー１１５の縦軸と一致することができる。電池１７９がまた、プランジャー１１５内に、例えばＰＣＢ１２４の中心開口内に嵌合されて、収容される。制御ボタン１３７が、ＰＣＢ１２４に実質的に垂直に配置され、Ｕ形状の収容部材１３９内に形成された開口を介してアクセス可能である。前記Ｕ形状の収容部材１３９は、フランジ１３１から遠位方向に延び、プランジャー１１５の近位端１３２から外向きに突出する。制御ボタン１３７はプランジャー本体から半径方向に突出するので、プランジャー１１５は、制御ボタンが押し下げられるときに変位されないだろう。ディスプレイ２８（図１７）はまた、制御ボタン１３７に対して反対側に凹んでいる近位端１３２内に収容されるが、見ることができる。センサー２１、ディスプレイ２８、制御ボタン１３７、及び電池１７９は、全てＰＣＢ１２４と電気連結され、差圧読みを提供するために上記のように作動する。
【０１０６】
この実施態様では、縦方向に延びる歯要素１１９は、一時的に筒組立体１０５に固定されるためにプランジャー１１５の周囲本体１１６の一つ以上の限定された円周領域内に一体的に形成される。円周領域の最上方部分はディスプレイ２８の下にあり、その最下方部分はセンサー２１の上にある。フランジ１３１の回転は、歯要素１１９の少なくとも一つの領域が筒組立体１０５のロッカーリング４に固定されるようになり、プランジャー１１５がそこから移動されることなく所望のＩＣＰを発生する選択された軸方向位置に保持されることを可能にする。
【０１０７】
図１６及び１７はそれぞれ、注射器１１０の前面及び断面図を示す。ＥＴＴ弁を包囲するチューブと係合するための管状係合要素１１４は、筒１０６から遠位方向に延び、筒１０６より小さい直径のものである。注射器先端１０８は、係合要素１１４より小さい直径のものであり、そこから遠位方向に延びる。
【０１０８】
ピストン部材１１７が、円筒状プランジャー本体１１７から遠位方向にかつ半径方向内向きに延びている。筒１０６と封止して係合するためのガスケット部材１１９は、ピストン部材１１７内に形成された溝に結合される。センサー２１を固定するための及びピストン部材１１７内に形成された中心開口を通過するための管状センサー保持器１３３は、ガスケット部材１１９によって担持される。センサー保持器１３３から遠位方向に延び、センサー保持器１１３より有意に小さい直径を持つ環状片１３４が、ガスケット部材１１９内に嵌合され、センサー２１のＩＣＰ口２５が注射器先端１０８と流体連通状態となることを可能にする。圧力センサー２１の一つ以上の周囲圧力口１３６は、プランジャー１１５の空隙領域１４１を通して流れる周囲加圧空気に露出されるように、ＰＣＢ１７９から半径方向に間隔を置かれている。
【０１０９】
図１の注射器１０は、ガスケット部材１１９、ＰＣＢ１２４、半径方向に突出する制御ボタン１３７、または内部に収容された電池１７９のような、注射器１１０の一つ以上の特徴を持って構成されることができることは理解されるだろう。
【０１１０】
分析モードは、予め定められた時間（例えば３秒）以内に、予め定められた回数（例えば２回）、制御ボタンを押し下げることによって開始されることができる。分析モード中に、処理装置は、スペクトル分析を実施し、または圧力測定に応答して発生される電気信号の予め定められた周波数領域分析を実施する。分析モード中に、処理装置は、予め定められた時間の間、低電力休止状態にあることができ、次いでカフ膨張導管が閉塞されたとき、またはある測定を実施するために予め定められた時間が経過した後にＩＣＰが予め定められた閾値を越えるかまたは予め定められた閾値未満であるときのような目覚め事象に応答して、活性状態に設定されることができる。危険の場合、音響要素が間欠的な音またはブザー音を発することができる。
【０１１１】
図１９は、注射器１１０が操作可能である典型的な呼吸システム１４０を示す。呼吸システム１４０は、対象者の呼吸を補助するために、圧力ＰＶで空気の投入量をＥＴＴ７１の主内腔を介して気管１４７及び肺１４８へ送出するためのベンチレーター１４５を含み、ＰＴの気管圧力を達成する。気管壁と封止関係にあるように適合されたカフ７４は、導管６９を介して注射器１１０の筒の内部と流体連通状態にある。注射器１１０の差圧センサーは、周囲圧力ＰＡとＩＣＰ  ＰＣの間の圧力の差を測定する。
【０１１２】
ＰＣは、吸気と呼気によるＰＴの変化に応答して変動する。時々、気道からの蒸気は、浸透性カフ７４を通して浸透する。蒸気は、蒸気の比較的高い温度とＥＴＴの比較的低い温度の間の温度差のためにＥＴＴ７１上で凝縮する。凝縮した液滴は、膨張するカフ７４のための導管６９を湿潤し、閉塞する。従って、導管６９を介してなされたＩＣＰの圧力読みは、実際のＩＣＰのものではなく、弁６５（図１８）と凝縮した液滴の間に捕えられた空気の圧力を反映する。
【０１１３】
カフが閉塞しているかどうかを医療スタッフがこれまで決定することができなかった従来技術装置の使用とは対照的に、本発明の処理回路構成による発生した信号の分析は、カフが閉塞しているかどうかを容易に示すだろう。カフ７４は、もし信号振幅が、選択された時間期間を通してずっと振動するならば、良好な操作性を示す。しかし、もし振幅が実質的に一定のままであるならば、カフ膨張導管が閉塞していると決定され、これは、メンテナンス手順が実行されなければならないことを示す。閉塞の度合いは、瞬間的に受け取られた波形を、正常に振動する信号の記憶された波形と比較することによっても決定されることができる。発生された信号の分析は、メンテナンス手順（一般的に、プランジャーを遠位方向に変位させて、凝縮した液滴をカフ中に追いやること）の実行の後であっても、信号の振幅がゼロの一定値に留まり、気管圧ＰＴに応答して変動しない場合、カフが破裂していることを示すこともできる。
【０１１４】
図２０に示されるように、発生された信号の分析は、呼吸速度を検出するために使用されることができる。時間の関数として与えられたＩＣＰを分析することによって、呼吸速度（これは、ＩＣＰの変化速度に直接影響を与える）も決定されることができる。データが２０Ｈｚの速度でサンプリングされる示された例では、患者は、１分間当たり１３サイクルの速度で呼吸することが見出された。各呼吸サイクル１５１内に、小さい振幅及び持続時間を有し、主サイクル１４１を調節する複数の副サイクル１５３を見ることができる。各副サイクル１５３は、血液パルスの一部を代表する。血液パルスのデジタル分析は、例えば患者が高血圧（この症状は、触診によって常に決定されることができるとは限らない）にかかっている場合を決定するために極めて役に立つことができる場合もある。
【０１１５】
図２１に示されるパワースペクトル密度のグラフにおいて、発生された信号の分析は、分散フーリエ変換（ＤＦＴ）を使用することによって時間領域から周波数領域にデータを変換することによって実行されることができる。時間領域に発生されたピークは、容易に計数されることができ、それによって周波数領域に発生されたピークと相関させられることができる。呼吸サイクル１５１は、異なる特性帯域幅によってパルス１５３とは区別されることができる。示されたパルスは、１分間当たり約８０ビットである。
【０１１６】
発生された信号のスペクトル分析は、非同期呼吸のため、（ベンチレーター１４５の操作が患者の自然の吸気及び呼気を補助する）補助された換気を必要とする患者にとって極めて役に立つことができ、生命を救うものですらありうる。従来技術の方法によれば、医療スタッフは、現在の呼吸状態（つまり、患者が現在、吸気しているのかそれとも呼気しているのか）を決定することができない場合がある。結果として、ベンチレーターが実行している呼吸操作は、有害であったり、または患者が実際に必要としているものとは反対であったりすることがありうる。対照的に、本発明は、特定の呼吸操作が開始されなければならない実際の瞬間を医療スタッフが知ることを可能にする。従って、医療スタッフは、Ａｍｂｕ  Ａ／Ｓ，Ｂａｌｌｅｒｕｐ，Ｄｅｎｍａｒｋによって製造されるもののようなベンチレーターを手動で操作し、ベンチレーターの吸気または呼気工程を患者の自然の呼吸反射運動と同期させることができる。
【０１１７】
本発明の注射器は、ＥＴＴを包囲するカフのための、またはＴＲＴを包囲するカフのための、または気道管理のために咽頭中に挿入される咽頭マスクを包囲するカフのための、または尿道カテーテル用のカフのための、ＩＰＣを測定及び調節する両方の目的のために使用されることができる。
【０１１８】
図２２に示されるように、流体室内の圧力は、注射器によって調節されることができる。注射器のプランジャーはまず、工程１６１において近位方向に変位されて、空気の投入量を筒の内部に入れる。次に、注射器の遠位先端が、工程１６３において、弁軸が注射器の先端によって起動されるまで、流体室と流体連通状態にある弁（例えばチェック弁またはポペット弁）を包囲する本体中に十分に挿入される。圧力調節手順中ずっとセンサーによって圧力読みを実行するために、制御ボタンが工程１６５において押し下げられる。次に、プランジャーは、工程１６７において遠位方向に変位され、空気の投入量が流体室中に導入され、流体室内の現在の圧力が表示される。もし流体室内の圧力が所望の値未満であるなら、注射器は、工程１６９において弁から分離され、弁要素はその座に戻り、流体室を封止する。次に、これらの操作は、工程１７１において、所望の圧力が達成されるまで繰り返される。
【０１１９】
もし流体室の圧力が所望の圧力より大きいなら、プランジャーは、工程１７３において近位方向に変位され、一方、遠位先端は、弁と起動関係にある。もし流体室の圧力が所望の圧力より大きいなら、注射器は、工程１７５において弁から分離され、次に、プランジャーは、工程１７７において遠位方向に変位されて、受け取った流体を排出する。次に、遠位先端は、再び弁と起動関係にもたらされ、これらの操作は、工程１８１において、所望の圧力が達成されるまで繰り返される。
【０１２０】
所望の圧力が達成された後、プランジャーは、工程１８３において筒組立体に解放可能に固定され、次に、制御ボタンを追加的に押し下げることによって分析モードが工程１８５において開始される。
【０１２１】
代替的に、分析モードは、圧力調節プロセスから独立して開始されることができ、例えば、予め定められた時間期間に、または予め定められた間隔の後で、または医療スタッフの裁量に従って開始されることができる。分析モードは、一般的にプランジャーが筒の遠位端に配置されているときに開始され、データは、予め定められた時間期間（例えば、１分間）、サンプリングされる。
【０１２２】
注射器は、生命をおびやかす状況において上述のようにカフ中の圧力を調節するために、または傷付いた犠牲者の出血損傷部位において止血を達成するか、もしくは連続的な血管血液流を確実にするために使用されることができる。従来技術の方法は、内出血または外出血の間に血液流を停止させる止血帯などの使用を伴なう。しかし、もし血液流が４〜６時間の長期間、中断されると、肢は壊疽を起こしうる。本発明の注射器を使用すると、加圧流体は、損傷部位に送達されて、傷付いた血管を通した出血を停止させる。加圧流体は、傷付いた肢を通る連続的な血液流を確実にするために、収縮期圧未満の圧力で、直接またはカフを付けられた医療チューブによって適用されることが好ましい。適用された流体の圧力は、注射器によって監視または調節されることができる。
【０１２３】
血液流または器官中に適用される液体の圧力を監視して調節することによって、かかる流体移動に通常伴う薄い血管壁を有する患者の痛みは、有利に緩和されることができる。
【０１２４】
注射器は、人間または動物の身体構造に接触していない流体室中の圧力を調節するためにも使用されることができる。例えば、自転車のタイヤは、１００ｃｃの容積を有する注射器が使用される場合、膨張されたタイヤの圧力が正確に決定されることができない従来の空気ポンプが使用される場合よりもずっと所望の圧力に膨張されることができる。
【０１２５】
注射器は、身体内の流体室の相対的圧力を監視するためにも使用されることができる。
【０１２６】
脊髄管の内部に位置するが硬膜の外部に位置する硬膜外空間中へ微麻酔の主目的でカテーテルによって薬物を注入することは、危険な手順である。なぜなら、脊髄を包囲する脳脊髄液は、硬膜の内部に位置され、脳骨髄液を加圧下で含む蜘蛛膜層の破裂を回避するために大きな注意を払うことが必要であるからである。硬膜外空間は、大気圧未満の圧力によって特徴付けられ、硬膜外空間中への貫入は、ディスプレイを見ることによって明確に同定されることができる。注射器の針は、筒の内部と硬膜外空間との間の流体連通を可能にするために、軸方向の開口または他のいかなるタイプの開口も有することができる。注射器の針は、硬膜外空間中への貫入を示す圧力の急速な低下が見られるまで、脊椎骨を通してゆっくりと挿入され、その後、薬物が注入される。針の導入中の抵抗の減少によって硬膜外空間を同定する従来技術の方法は、本発明の方法より信頼性に劣る。
【０１２７】
本発明のいくつかの実施態様が例示のために記載されてきたが、本発明は、本発明の精神から離れることなく、または特許請求の範囲を超えることなく、多くの改変、変形及び適合、ならびに当業者の範囲内である多数の等価物または代替解決策の使用によっても実行できることは明らかであるだろう。
【図６】
2014528813.tif 000003
【図７】
2014528813.tif 000004
【図１０−１１】
2014528813.tif 000005
【図１２Ａ−１２Ｃ】
2014528813.tif 000006
【図２０】
2014528813.tif 000007
【図２１】
2014528813.tif 000008
【図２２】
2014528813.tif 000009
【図１】
2014528813.tif 000010
【図２】
2014528813.tif 000011
【図３】
2014528813.tif 000012
【図４】
2014528813.tif 000013
【図５】
2014528813.tif 000014
【図８】
2014528813.tif 000015
【図９】
2014528813.tif 000016
【図１３】
2014528813.tif 000017
【図１４】
2014528813.tif 000018
【図１５】
2014528813.tif 000019
【図１６】
2014528813.tif 000020
【図１７】
2014528813.tif 000021
【図１８】
2014528813.tif 000022
【図１９】
2014528813.tif 000023
【国際調査報告】
2014528813.tif 000024
2014528813.tif 000025
2014528813.tif 000026
2014528813.tif 000027
2014528813.tif 000028
2014528813.tif 000029